(57)【要約】【課題】水中における動きに合わせて発光ダイオードを発光させることができる疑似餌を提供する。【解決手段】疑似餌１０は、疑似餌本体１１と、疑似餌本体１１に設置された発光装置１２Ａとから形成されている。疑似餌１０では、水分検知部材２１が水分を検知してそれが導通し、ピエゾ素子に生じた電圧の第２スイッチング素子への印加が可能となり、かつ、ピエゾ素子に生じた電圧が第２スイッチング素子に印加されると、第２スイッチング素子がＯＮ状態になり、第２スイッチング素子がＯＮ状態になると、直流電源からコンデンサーに所定の電圧が印加されてコンデンサーに電荷が蓄えられ、コンデンサーがそこに蓄えられた電荷を第１スイッチング素子に放出すると、第１スイッチング素子がＯＮ状態となり、コンデンサーに蓄えられた電荷の放出中に直流電源から発光ダイオード１６に所定の電圧が印加されて発光ダイオード１６が発光する。【選択図】図１
2011160714.tif 000002
【特許請求の範囲】
【請求項１】
疑似餌本体と、前記疑似餌本体に設置された発光装置とから形成され、水中で発光してその光で魚類を引き寄せる疑似餌において、
前記発光装置が、直流電源と、前記直流電源から印加された電圧に応じて発光する発光ダイオードと、前記発光ダイオードに印加される電圧をＯＮ／ＯＦＦする第１スイッチング素子と、前記第１スイッチング素子をＯＮさせるための電荷を蓄えるコンデンサーと、前記コンデンサーに印加される電圧をＯＮ／ＯＦＦする第２スイッチング素子と、振動によって生じた電圧で前記第２スイッチング素子をＯＮさせるピエゾ素子と、前記ピエゾ素子に生じた電圧の前記第２スイッチング素子への印加を可能または不能にする水分検知部材とを含み、
前記発光ダイオードと前記第１スイッチング素子とが、前記直流電源に対して並列に接続され、前記コンデンサーと前記第２スイッチング素子とが、前記直流電源に対して並列に接続されるとともに、前記ピエゾ素子が、それに生じた電圧によって前記第２スイッチング素子をＯＮ状態にし得るように該第２スイッチング素子に接続され、水分を検知した前記水分検知部材が、前記ピエゾ素子に生じた電圧の前記第２スイッチング素子への印加を可能にするように該ピエゾ素子に接続され、
前記疑似餌では、前記水分検知部材が水分を検知してそれが導通し、前記ピエゾ素子に生じた電圧の前記第２スイッチング素子への印加が可能となり、かつ、前記ピエゾ素子に生じた電圧が前記第２スイッチング素子に印加されると、前記第２スイッチング素子がＯＮ状態になり、前記第２スイッチング素子がＯＮ状態になると、前記直流電源から前記コンデンサーに所定の電圧が印加されて該コンデンサーに電荷が蓄えられ、前記コンデンサーがそこに蓄えられた電荷を前記第１スイッチング素子に放出すると、前記第１スイッチング素子がＯＮ状態となり、前記コンデンサーに蓄えられた電荷の放出中に前記直流電源から前記発光ダイオードに所定の電圧が印加されて該発光ダイオードが発光することを特徴とする疑似餌。
【請求項２】
前記発光装置が、前記第２スイッチング素子と前記ピエゾ素子との導通をＯＮ／ＯＦＦする光検出器を含み、前記疑似餌では、前記光検出器が設定量以上の光を検出中に、前記第２スイッチング素子と前記ピエゾ素子との導通がＯＦＦ状態になる請求項１に記載の疑似餌。
【請求項３】
前記発光ダイオードの発光時間が、前記コンデンサーの静電容量を変えることによって変更可能である請求項１または請求項２に記載の疑似餌。
【請求項４】
前記発光ダイオードの発光時間が、前記ピエゾ素子の発電量を変えることによって変更可能である請求項１ないし請求項３いずれかに記載の疑似餌。
【請求項５】
釣り竿の竿先に着脱可能に取り付けられ、魚類がかかったときの竿先の振動を検知する竿先振動検知具において、
前記竿先振動検知具が、所定の振動によって発光する発光装置と、前記竿先への係合部材とを備え、前記発光装置が、直流電源と、前記直流電源から印加された電圧に応じて発光する発光素子と、前記発光素子に印加される電圧をＯＮ／ＯＦＦする第１スイッチング素子と、前記第１スイッチング素子をＯＮさせるための電荷を蓄えるコンデンサーと、前記コンデンサーに印加される電圧をＯＮ／ＯＦＦする第２スイッチング素子と、振動によって生じた電圧で前記第２スイッチング素子をＯＮさせるピエゾ素子とを含み、
前記発光素子と前記第１スイッチング素子とが、前記直流電源に対して並列に接続され、前記コンデンサーと前記第２スイッチング素子とが、前記直流電源に対して並列に接続されるとともに、前記ピエゾ素子が、それに生じた電圧によって前記第２スイッチング素子をＯＮ状態にし得るように該第２スイッチング素子に接続され、
前記竿先振動検知具では、前記ピエゾ素子に生じた電圧が前記第２スイッチング素子に印加されると、前記第２スイッチング素子がＯＮ状態になり、前記第２スイッチング素子がＯＮ状態になると、前記直流電源から前記コンデンサーに所定の電圧が印加されて該コンデンサーに電荷が蓄えられ、前記コンデンサーがそこに蓄えられた電荷を前記第１スイッチング素子に放出すると、前記第１スイッチング素子がＯＮ状態となり、前記コンデンサーに蓄えられた電荷の放出中に前記直流電源から前記発光素子に所定の電圧が印加されて該発光素子が発光することを特徴とする竿先振動検知具。
【請求項６】
前記発光装置が、前記第２スイッチング素子と前記ピエゾ素子との導通をＯＮ／ＯＦＦする光検出器を含み、前記竿先振動検知具では、前記光検出器が設定量以上の光を検出中に、前記第２スイッチング素子と前記ピエゾ素子との導通がＯＦＦ状態になる請求項５に記載の竿先振動検知具。
【発明の詳細な説明】
【技術分野】
【０００１】
本発明は、疑似餌および竿先振動検知具に関する。
【背景技術】
【０００２】
外部に光を放射可能な発光ダイオードと、発光ダイオードを発光させる電池と、発光ダイオードの発光を制御する制御装置とから形成された釣り用疑似餌がある（特許文献１参照）。この釣り用疑似餌では、制御装置が発光ダイオードを所定の周期で点滅させ、その光によって魚を引き寄せる。また、弾力性を有して竿先に巻き付けられる非金属製ばねと、ばねの中央に取り付けられた鈴とを備え、ばねの中央部のねじりによる竿先の接触面の摩擦抵抗の変化を利用し、ばねの竿先における滑りを防止した釣り鈴がある（特許文献２参照）。この釣り鈴は、魚がかかったときの竿先の振動で鈴が鳴り、魚がかかったことを音で知らせる。この釣り鈴は、釣り糸の遠投の際の竿先における鈴のずれや回転を防ぐことができる。
【先行技術文献】
【特許文献】
【０００３】
【特許文献１】特開２０００−６０３６１号公報
【特許文献２】特開２０００−３４２１４７号公報
【発明の概要】
【発明が解決しようとする課題】
【０００４】
前記特許文献１に開示の釣り用疑似餌は、釣り糸の手繰り出しや手繰り込みに応じて発光ダイオードを発光させることができず、水中における疑似餌の動きに合わせて発光ダイオードを発光させることはできない。また、スイッチを入れることで、発光ダイオードの発光が継続されるから、発光が不必要な場合まで発光ダイオードが発光し、その分電気を消費して疑似餌における省電力化を図ることができない。また、前記特許文献２に開示の釣り鈴は、魚がかかったときの竿先の振動を鈴の音によって外部に知らせるが、周囲の雑音によってその音がかき消される場合があり、釣り糸に魚がかかったことを見逃してしまう場合がある。
【０００５】
本発明の目的は、釣り糸の手繰り出しや手繰り込みに応じて発光ダイオードを発光させることができ、水中における動きに合わせて発光ダイオードを発光させることができる疑似餌を提供することにある。本発明の他の目的は、釣り糸に魚がかかったことを確実に知らせることができる竿先振動検知具を提供することにある。
【課題を解決するための手段】
【０００６】
前記課題を解決するための本発明の第１の前提は、疑似餌本体と、疑似餌本体に設置された発光装置とから形成され、水中で発光してその光で魚類を引き寄せる疑似餌である。
【０００７】
前記第１の前提における本発明の疑似餌の特徴は、発光装置が、直流電源と、直流電源から印加された電圧に応じて発光する発光ダイオードと、発光ダイオードに印加される電圧をＯＮ／ＯＦＦする第１スイッチング素子と、第１スイッチング素子をＯＮさせるための電荷を蓄えるコンデンサーと、コンデンサーに印加される電圧をＯＮ／ＯＦＦする第２スイッチング素子と、振動によって生じた電圧で第２スイッチング素子をＯＮさせるピエゾ素子と、ピエゾ素子に生じた電圧の第２スイッチング素子への印加を可能または不能にする水分検知部材とを含み、発光ダイオードと第１スイッチング素子とが直流電源に対して並列に接続され、コンデンサーと第２スイッチング素子とが直流電源に対して並列に接続されるとともに、ピエゾ素子がそれに生じた電圧によって第２スイッチング素子をＯＮ状態にし得るように第２スイッチング素子に接続され、水分を検知した水分検知部材がピエゾ素子に生じた電圧の第２スイッチング素子への印加を可能にするようにピエゾ素子に接続され、疑似餌では、水分検知部材が水分を検知してそれが導通し、ピエゾ素子に生じた電圧の第２スイッチング素子への印加が可能となり、かつ、ピエゾ素子に生じた電圧が第２スイッチング素子に印加されると、第２スイッチング素子がＯＮ状態になり、第２スイッチング素子がＯＮ状態になると、直流電源からコンデンサーに所定の電圧が印加されてコンデンサーに電荷が蓄えられ、コンデンサーがそこに蓄えられた電荷を第１スイッチング素子に放出すると、第１スイッチング素子がＯＮ状態となり、コンデンサーに蓄えられた電荷の放出中に直流電源から発光ダイオードに所定の電圧が印加されて該発光ダイオードが発光することにある。
【０００８】
本発明にかかる疑似餌の一例としては、発光装置が第２スイッチング素子とピエゾ素子との導通をＯＮ／ＯＦＦする光検出器を含み、疑似餌では、光検出器が設定量以上の光を検出中に、第２スイッチング素子とピエゾ素子との導通がＯＦＦ状態になる。
【０００９】
本発明にかかる疑似餌の他の一例としては、発光ダイオードの発光時間がコンデンサーの静電容量を変えることによって変更可能である。
【００１０】
本発明にかかる疑似餌の他の一例としては、発光ダイオードの発光時間がピエゾ素子の発電量を変えることによって変更可能である。
【００１１】
前記課題を解決するための本発明の第２の前提は、釣り竿の竿先に着脱可能に取り付けられ、魚類がかかったときの竿先の振動を検知する竿先振動検知具である。
【００１２】
前記第２の前提における本発明の竿先振動検知具の特徴は、竿先振動検知具が、所定の振動によって発光する発光装置と、竿先への係合部材とを備え、発光装置が、直流電源と、直流電源から印加された電圧に応じて発光する発光素子と、発光素子に印加される電圧をＯＮ／ＯＦＦする第１スイッチング素子と、第１スイッチング素子をＯＮさせるための電荷を蓄えるコンデンサーと、コンデンサーに印加される電圧をＯＮ／ＯＦＦする第２スイッチング素子と、振動によって生じた電圧で第２スイッチング素子をＯＮさせるピエゾ素子とを含み、発光素子と第１スイッチング素子とが直流電源に対して並列に接続され、コンデンサーと第２スイッチング素子とが直流電源に対して並列に接続されるとともに、ピエゾ素子がそれに生じた電圧によって記第２スイッチング素子をＯＮ状態にし得るように第２スイッチング素子に接続され、竿先振動検知具では、ピエゾ素子に生じた電圧が第２スイッチング素子に印加されると、第２スイッチング素子がＯＮ状態になり、第２スイッチング素子がＯＮ状態になると、直流電源からコンデンサーに所定の電圧が印加されてコンデンサーに電荷が蓄えられ、コンデンサーがそこに蓄えられた電荷を第１スイッチング素子に放出すると、第１スイッチング素子がＯＮ状態となり、コンデンサーに蓄えられた電荷の放出中に直流電源から発光素子に所定の電圧が印加されて発光素子が発光することにある。
【００１３】
本発明にかかる竿先振動検知具の一例としては、発光装置が第２スイッチング素子とピエゾ素子との導通をＯＮ／ＯＦＦする光検出器を含み、竿先振動検知具では、光検出器が設定量以上の光を検出中に、第２スイッチング素子とピエゾ素子との導通がＯＦＦ状態になる。
【発明の効果】
【００１４】
本発明に係る疑似餌によれば、水分検知部材が水分を検知してそれが導通し、ピエゾ素子に生じた電圧の第２スイッチング素子への印加が可能となり、かつ、疑似餌の振動がピエゾ素子に伝達され、ピエゾ素子に生じた電圧が第２スイッチング素子に印加されると、第２スイッチング素子がＯＮ状態になり、第２スイッチング素子がＯＮ状態になると、直流電源からコンデンサーに所定の電圧が印加されてコンデンサーに電荷が蓄えられ、コンデンサーがそこに蓄えられた電荷を第１スイッチング素子に放出すると、第１スイッチング素子がＯＮ状態となるから、コンデンサーに蓄えられた電荷の放出中（放電時間内）に直流電源から発光ダイオードに所定の電圧が印加されて発光ダイオードが発光する。したがって、疑似餌の振動をトリガーとして発光ダイオードが発光し、釣り糸の手繰り出しや手繰り込みに応じて発光ダイオードを発光させることができ、水中における疑似餌の動きに合わせて発光ダイオードを発光させることができる。疑似餌は、コンデンサーからの電荷の放出が停止すると、第１スイッチング素子がＯＦＦ状態となり、直流電源から発光ダイオードへの電圧の印加が停止して発光ダイオードが消灯するから、疑似餌の動きを停止させることで、発光ダイオードが消灯し、疑似餌を再び動かすことで、発光ダイオードが発光する。したがって、釣り糸の手繰り出しや手繰り込み、静止により、水中において発光ダイオードの点灯と消灯とを調節することができ、魚類の光に引き寄せられる習性の相違に応じて疑似餌の点滅を自由に操作することができる。この疑似餌は、それの動きを停止させると発光ダイオードが消灯するから、魚類を誘うとき以外は発光ダイオードを消灯させておくことができ、その分電気を消費することはなく、疑似餌における省電力化を図ることができる。
【００１５】
第２スイッチング素子とピエゾ素子との導通をＯＮ／ＯＦＦする光検出器を含み、光検出器が設定量以上の光を検出中に、第２スイッチング素子とピエゾ素子との導通がＯＦＦ状態になる疑似餌は、光検出器を利用することで、水中の明暗によって発光ダイオードの点滅を調節することができるから、夜間の釣りのみにおいて発光ダイオードを発光させることや光の届かない深い水中でのみ発光ダイオードを発光させることで、発光ダイオードの無駄な発光を防ぐことができ、疑似餌における省電力化を図ることができる。この疑似餌は、夜間の釣りや光の届かない水中において発光ダイオードが発光するから、光に集まる習性の魚類に特に有効に作用し、魚類を確実に誘うことができる。
【００１６】
コンデンサーの静電容量を変えることによって発光ダイオードの発光時間を変更可能な疑似餌は、コンデンサーの静電容量を大きくすることで、コンデンサーに蓄電される電荷の量が多くなるから、コンデンサーから第１スイッチング素子への電荷の放電時間が長くなり、発光ダイオードへの電圧の印加時間が長くなってその分発光ダイオードの発光時間を長くすることができる。逆に、コンデンサーの静電容量を小さくすることで、コンデンサーに蓄電される電荷の量が少なくなるから、コンデンサーから第１スイッチング素子への電荷の放電時間が短くなり、発光ダイオードへの電圧の印加時間が短くなってその分発光ダイオードの発光時間を短くすることができる。この疑似餌は、コンデンサーの静電容量を調節することによって、魚類の光に引き寄せられる習性の相違に応じて発光ダイオードの発光時間を自由に変えることができる。
【００１７】
ピエゾ素子の発電量を変えることによって発光ダイオードの発光時間を変更可能な発光装置は、ピエゾ素子の発電量を多くすることで、第２スイッチング素子のＯＮ状態が長くなり、その分コンデンサーに蓄電される電荷の量が多くなるから、コンデンサーから第１スイッチング素子への電荷の放電時間が長くなり、発光ダイオードへの電圧の印加時間が長くなって発光ダイオードの発光時間を長くすることができる。逆に、ピエゾ素子の発電量を少なくすることで、第２スイッチング素子のＯＮ状態が短くなり、その分コンデンサーに蓄電される電荷の量が少なくなるから、コンデンサーから第１スイッチング素子への電荷の放電時間が短くなり、発光ダイオードへの電圧の印加時間が短くなって発光ダイオードの発光時間を少なくすることができる。この疑似餌は、ピエゾ素子の発電量を調節することによって、魚類の光に引き寄せられる習性の相違に応じて発光ダイオードの発光時間を自由に変えることができる。
【００１８】
本発明に係る竿先振動検知具によれば、竿先の振動がピエゾ素子に伝達され、それによってピエゾ素子に生じた電圧が第２スイッチング素子に印加されると、第２スイッチング素子がＯＮ状態になり、第２スイッチング素子がＯＮ状態になると、直流電源からコンデンサーに所定の電圧が印加されてコンデンサーに電荷が蓄えられ、コンデンサーがそこに蓄えられた電荷を第１スイッチング素子に放出すると、第１スイッチング素子がＯＮ状態となるから、コンデンサーに蓄えられた電荷の放出中（放電時間内）に直流電源から発光素子に所定の電圧が印加されて発光素子が発光する。したがって、竿先の振動をトリガーとして発光素子が発光し、魚類がかかったときの竿先の振動を光によって外部に知らせることができ、釣り糸に魚類がかかったことを確実に確認することができる。この竿先振動検知具は、コンデンサーからの電荷の放出が停止すると、第１スイッチング素子がＯＦＦ状態となり、直流電源から発光素子への電圧の印加が停止して発光素子が消灯するから、魚類がかかっておらず竿先が振動していないときに発光素子が発光することはなく、魚類のかかりと非がかりとを確実に選別することができる。
【００１９】
第２スイッチング素子とピエゾ素子との導通をＯＮ／ＯＦＦする光検出器を含み、光検出器が設定量以上の光を検出中に、第２スイッチング素子とピエゾ素子との導通がＯＦＦ状態になる竿先振動検知具は、光検出器を利用することで、周囲の明暗によって発光素子を明滅させることができるから、夜間の釣りにおいて発光素子を発光させることで、夜釣り以外の釣りにおける発光素子の無駄な発光を防ぐことができ、竿先振動検知具における省電力化を図ることができる。
【図面の簡単な説明】
【００２０】
【図１】一例として示す疑似餌の斜視図。
【図２】疑似餌に使用される一例として示す発光装置の回路図。
【図３】疑似餌に使用される他の一例として示す発光装置の回路図。
【図４】一例として示す竿先振動検知具の斜視図。
【図５】竿先振動検知具に使用される一例として示す発光装置の回路図。
【図６】竿先振動検知具に使用される他の一例として示す発光装置の回路図。
【発明を実施するための形態】
【００２１】
疑似餌１０の一例を示す図１や発光装置の回路図である図２等の添付の図面を参照し、本発明に係る疑似餌の最良の形態を説明すると、以下のとおりである。疑似餌１０は、疑似餌本体１１と、疑似餌本体１１に設置された発光装置１２Ａとから形成されている。疑似餌本体１１は、透明または半透明の合成樹脂から作られ、その後端部に釣り針１３が取り付けられ、その前端部に釣り糸を結び付けるフック１４が取り付けられている。なお、疑似餌本体１１は図示の形状に限定されず、本発明の疑似餌１０において他のあらゆる形状の疑似餌本体を使用することができる。また、釣り針の形態やその取り付け位置は図示のそれらに限定されず、他の形態の釣り針を使用することもでき、釣り針の取り付け位置を本体の他の箇所にすることもできる。
【００２２】
発光装置１２Ａは、疑似餌本体１１の中央内部に埋め込まれ、疑似餌本体１１が有する防水性によって保護されている。なお、発光装置１２Ａ自体に防水性を付与することで、発光装置１２Ａが疑似餌本体１１の表面から露出した状態で本体１１に取り付けられていてもよい。発光装置１２Ａは、直列に接続された３つのボタン電池１５（直流電源）と、発光ダイオード１６と、第１スイッチング素子１７（ＭＯＳ−ＦＥＴ）と、コンデンサー１８と、第２スイッチング素子１９（ＭＯＳ−ＦＥＴ）と、ピエゾ素子２０と、水分検知部材２１とから形成されている。発光装置１２Ａは、発光ダイオード１６をボタン電池１５によって発光させるアナログの直流点灯装置である。
【００２３】
発光ダイオード１６と第１スイッチング素子１７とは、ボタン電池１５に対して並列に接続されている。発光ダイオード１６においてボタン電池１５の直流電流が順方向へ流れるように発光ダイオード１６が配置されている。なお、ボタン電池１５の個数に特に限定はなく、所期する発光ダイオード１６の発光強度に対応する個数に設定される。また、発光装置１２Ａでは、ボタン電池１５に代えて、直流電源としてアルカリ電池等の他のあらゆる一次電池を利用することができる。
【００２４】
発光ダイオード１６の発光波長や発光輝度、変換効率等について特に限定はなく、紫外光や青色、緑色に発光するＧａＩｎＮ、緑色や黄緑色に発光するＩｎＧａＡＩＰ／ＧａＡｓ、黄色に発光するＩｎＧａＡＩＰ／ＧａＰ、赤色に発光するＩｎＧａＡＩＰやＧａＡＩＡｓ、赤外光に発光するＧａＡＩＡｓやＧａＡｓ等のあらゆるものを使用することができる。なお、発光ダイオード１６の個数に特に限定はなく、発光装置１２Ａに２個以上の発光ダイオード１６を取り付けることもできる。
【００２５】
第１スイッチング素子１７には、ＭＯＳ−ＦＥＴが使用されている。第１スイッチング素子１７は、発光ダイオード１６に印加される電圧をＯＮ／ＯＦＦする。第１スイッチング素子１７であるＭＯＳ−ＦＥＴは、そのドレイン電極１７ａが発光ダイオード１６のＮチャネルに電気的に接続され、そのソース電極１７ｂがボタン電池１５のプラス端子に電気的に接続されている。発光ダイオード１６のＮチャネルと第１スイッチング素子１７のドレイン電極１７ａとの間には、抵抗２２が電気的に接続されている。発光ダイオード１６のＰチャネルは、ボタン電池１５のマイナス端子に電気的に接続されている。
【００２６】
コンデンサー１８と第２スイッチング素子１９とは、ボタン電池１５に対して並列に接続されている。コンデンサー１８は、第１スイッチング素子１７をＯＮさせるための電荷を蓄える。コンデンサー１８は、第１端子１８ａが第１スイッチング素子１７であるＭＯＳ−ＦＥＴのゲート電極１７ｃに電気的に接続され、第２端子１８ｂがボタン電池１５のプラス端子に電気的に接続されている。なお、コンデンサー１８の静電容量について特に限定はない。第１スイッチング素子１７のゲート電極１７ｃとコンデンサー１８の第１端子１８ａとの間には、抵抗２３が電気的に接続されている。第１スイッチング素子１７のゲート電極１７ｃには、バイアス抵抗２４が接続されている。
【００２７】
第２スイッチング素子１９には、ＭＯＳ−ＦＥＴが使用されている。第２スイッチング素子１９は、コンデンサー１８に印加される電圧をＯＮ／ＯＦＦする。第２スイッチング素子１９であるＭＯＳ−ＦＥＴは、そのドレイン電極１９ａがボタン電池１５のマイナス端子に電気的に接続され、そのソース電極１９ｂがコンデンサー１８の第１端子１８ａに電気的に接続されている。なお、第１および第２スイッチング素子１７，１８には、ＭＯＳ−ＦＥＴの他に、他の種類のトランジスタを使用することもできる。
【００２８】
ピエゾ素子２０は、第２スイッチング素子１９をＯＮさせる。ピエゾ素子２０は、その第１端子２０ａが第２スイッチング素子１９であるＭＯＳ−ＦＥＴのゲート電極１９ａに電気的に接続され、その第２端子２０ｂがボタン電池１５のマイナス端子に電気的に接続されている。ピエゾ素子２０の第１電極２０ａと第２スイッチング素子１９のゲート電極１９ｃとの間には、抵抗２５が電気的に接続されている。第２スイッチング素子１９のゲート電極１９ｃには、バイアス抵抗２６が接続されている。
【００２９】
水分検知部材２１は、導電性端子であり、ピエゾ素子２０に生じた電圧の第２スイッチング素子１９への印加を可能または不能にする。水分検知部材２１は、それが水分を検知したときに、ピエゾ素子２０に生じた電圧の第２スイッチング素子１９への印加を可能にするようにピエゾ素子２０に接続されている。水分検知部材２１は、その端子の一部が疑似餌本体１１の表面の２点間に露出し（図１参照）、疑似餌１０が水に浸かると、それら端子の２点間が導通する。
【００３０】
この発光装置１２Ａを使用した疑似餌１０の発光動作を説明すると、以下のとおりである。疑似餌１０は釣り竿の釣り糸に取り付けられ、疑似餌１０を使用して釣りができる状態になっているものとする。ボタン電池１５による電圧は、発光ダイオード１６のＰチャネルと第１スイッチング素子１７のソース電極１７ｂとの間に加えられ、第２スイッチング素子１９のドレイン電極１９ａとコンデンサー１８の第２端子１８ｂとの間に加えられている。ピエゾ素子２０に所定の電圧が生じていない状態では、第２スイッチング素子１９のゲート電極１９ｃに電圧がかかっておらず、第２スイッチング素子１９がＯＦＦ状態となっている。また、第１スイッチング素子１７のゲート電極１７ｃに電圧がかかっておらず、第１スイッチング素子１７がＯＦＦ状態となっている。さらに、疑似餌１０が水に漬かっていない場合、疑似餌１０の表面に露出する水分検知部材２１の端子どうしが導通せず、ピエゾ素子２０に生じた電圧の第２スイッチング素子１９への印加が不能になっている。
【００３１】
疑似餌１０が水中に投げ込まれて水に漬かると、水分検知部材２１が水分を検知して導通可能（水分検知部材２１の端子どうしが水を介して導通可能）になり、ピエゾ素子２０に生じた電圧の第２スイッチング素子１９への印加が可能になる。釣り糸の手繰り出しや手繰り込みによって疑似餌１０が水中において遊動し、ピエゾ素子２０に振動（衝撃）が加えられると、その振動によってピエゾ素子２０の両端に所定の電圧が生じ、ピエゾ素子２０に生じた電圧が第２スイッチング素子１９のゲート電極１９ｃにかかる。ゲート電極１９ｃに電圧がかかると、第２スイッチング素子１９のドレイン−ソース間にボタン電池１５の電流が流れ、第２スイッチング素子１９がＯＮ状態になる。第２スイッチング素子１９がＯＮ状態になると、ボタン電池１５からコンデンサー１８に所定の電圧が印加され、コンデンサー１８に電荷が蓄えられる。
【００３２】
コンデンサー１８は、蓄えた電荷を放出（放電）する。コンデンサー１８が電荷を放出すると、その電荷（電圧）が第１スイッチング素子１７のゲート電極１７ｃにかかる。ゲート電極１７ｃに電圧がかかると、第１スイッチング素子１７のドレイン−ソース間にボタン電池１５の電流が流れ、第１スイッチング素子１７がＯＮ状態になる。第１スイッチング素子１７がＯＮ状態になると、ボタン電池１５から発光ダイオード１６に所定の電圧が印加され、発光ダイオード１６にボタン電池１５の直流電流が流れる。発光ダイオード１６にボタン電池１５の直流電流が流れると、電流（ＩＦ）の大きさに比例した発光強度で発光ダイオード１６が発光する。なお、第１および第２スイッチング素子１７，１９はそのゲート電極１７ｃ，１９ｃに電圧がかかると、直ちにＯＮ状態となるから、ピエゾ素子２０に所定の振動が加えられることで、発光ダイオード１６が瞬時に発光する。
【００３３】
疑似餌１０が水中において静止し、ピエゾ素子２０に加えられていた振動が停止すると、ピエゾ素子２０に生じた電圧が消失する。ピエゾ素子２０に生じた電圧が消失すると、第２スイッチング素子１９のゲート電極１９ｃにかかっていた電圧が０になり、第２スイッチング素子１９のドレイン−ソース間に流れていたボタン電池１５の電流が切れ、第２スイッチング素子１９がＯＦＦ状態になり、ボタン電池１５からのコンデンサー１８に対する電圧の印加が停止する。さらに、コンデンサー１８からの電荷の放出が終了すると、第１スイッチング素子１７のゲート電極１７ｃにかかっていた電圧が０になり、第１スイッチング素子１７のドレイン−ソース間に流れていたボタン電池の電流が切れ、第１スイッチング素子１７がＯＦＦ状態になる。第１スイッチング素子１７がＯＦＦ状態になると、発光ダイオード１６の発光が停止する。
【００３４】
また、疑似餌１０を水中から引き上げると、水分検知部材２１の端子どうしの導通が遮断され、ピエゾ素子２０に生じた電圧の第２スイッチング素子１９への印加が不能になり、発光ダイオード１６の発光が停止する。なお、コンデンサー１８から放出される電荷は時間の経過とともに次第に少なくなり、それに対応するように、第１スイッチング素子１７のドレイン−ソース間に流れる電流が次第に少なくなるとともに、発光ダイオード１６の発光が次第に弱くなる。したがって、発光ダイオード１６が瞬時に消灯することはなく、発光ダイオード１６の発光が徐々に弱くなる。
【００３５】
ボタン電池１５からのコンデンサー１８への電圧の印加時間は、ピエゾ素子２０の発電量に比例する。ピエゾ素子２０の発電量を多くすることで、第２スイッチング素子１９のＯＮ時間を長くすることができ、ボタン電池１５からコンデンサー１８への電圧の印加時間が長くなる。ボタン電池１５からコンデンサー１８への電圧の印加時間が長くなると、コンデンサー１８の静電容量にもよるが、コンデンサー１８に蓄えられる（蓄電）電荷の量が増加し、コンデンサー１８から第１スイッチング素子１７への電荷の放電時間が長くなって、その分、発光ダイオード１６の発光時間を長くすることができる。逆に、ピエゾ素子２０の発電量を少なくすることで、第２スイッチング素子１９のＯＮ時間を短くすることができ、ボタン電池１５からコンデンサー１８への電圧の印加時間が短くなり、コンデンサー１８に蓄えられる（蓄電）電荷の量が減少し、コンデンサー１８から第１スイッチング素子１７への電荷の放電時間が短くなって、その分、発光ダイオード１６の発光時間を短くすることができる。
【００３６】
疑似餌１０は、ピエゾ素子２０の発電量を変更することによって、発光ダイオード１６の発光時間を変更することができるから、ピエゾ素子２０の発電量を調節することによって、発光ダイオード１６の発光時間を自由に変えることができ、魚類の光に引き寄せられる習性の相違に応じて発光ダイオード１６の発光時間を自由に変えることができる。なお、ピエゾ素子２０の発電量を多くする手段として、ピエゾ素子２０に大きな衝撃（振動）を与える場合、発電容量の大きいピエゾ素子２０を使用する場合、それらの両者を併用する場合がある。
【００３７】
ボタン電池１５からの発光ダイオード１６への電圧の印加時間は、コンデンサー１８の蓄電量（静電容量）に比例する。コンデンサー１８の静電容量を大きくすることで、コンデンサー１８に蓄電される電荷の量を多くすることができ、コンデンサー１８から第１スイッチング素子１７への電荷の放電時間が長くなる。コンデンサー１８から第１スイッチング素子１７への電荷の放電時間が長くなると、ボタン電池１５から発光ダイオード１６への電圧の印加時間が長くなって、その分、発光ダイオード１６の発光時間を長くすることができる。逆に、コンデンサー１８の静電容量を小さくすることで、コンデンサー１８に蓄電される電荷の量を少なくすることができ、コンデンサー１８から第１スイッチング素子１７への電荷の放電時間が短くなり、ボタン電池１５から発光ダイオード１６への電圧の印加時間が短くなって、その分、発光ダイオード１６の発光時間を短くすることができる。
【００３８】
疑似餌１０は、コンデンサー１８の静電容量を変更することによって、発光ダイオード１６の発光時間を変更することができるから、コンデンサー１８の静電容量を調節することによって、発光ダイオード１６の発光時間を自由に変えることができ、魚類の光に引き寄せられる習性の相違に応じて発光ダイオード１６の発光時間を自由に変えることができる。
【００３９】
疑似餌１０は、それの振動をトリガーとして発光ダイオード１６が発光し、釣り糸の手繰り出しや手繰り込みに応じて発光ダイオード１６を発光させることができ、水中における疑似餌の動きに合わせて発光ダイオード１６を発光させることができる。疑似餌１０は、コンデンサー１８からの電荷の放出が停止すると、第１スイッチング素子１７がＯＦＦ状態となり、ボタン電池１５から発光ダイオード１６への電圧の印加が停止して発光ダイオード１６が消灯するから、疑似餌１０の動きを停止させることで、発光ダイオード１６が消灯し、疑似餌１０を再び動かすことで、発光ダイオード１６が発光する。したがって、釣り糸の手繰り出しや手繰り込み、静止により、水中において発光ダイオード１６の点灯と消灯とを調節することができ、魚類の光に引き寄せられる習性の相違に応じて疑似餌１０の点滅を自由に操作することができる。疑似餌１０は、それの動きを停止させると発光ダイオード１６が消灯するから、魚類を誘うとき以外は発光ダイオード１６を消灯させておくことができ、その分電気を消費することはなく、疑似餌１０における省電力化を図ることができる。
【００４０】
図３は、疑似餌１０に使用される他の一例として示す発光装置１２Ｂの回路図である。この発光装置１２Ｂは、直列に接続された３つのボタン電池１５（直流電源）と、発光ダイオード１６と、第１スイッチング素子１７（ＭＯＳ−ＦＥＴ）と、コンデンサー１８と、第２スイッチング素子１９（ＭＯＳ−ＦＥＴ）と、ピエゾ素子２０（ピエゾ素子）と、水分検知部材２１と、フォトダイオード２７（光検出器）とから形成されている。発光装置１２Ｂは、図１のそれと同様に、発光ダイオード１６をボタン電池１５によって発光させる直流点灯装置であり、疑似餌本体１１の内部に埋め込まれる。
【００４１】
この発光装置１２Ｂが図１のそれと異なるところは第２スイッチング素子１９のゲート電極１９ｃにフォトダイオード２７が接続されている点にあり、この発光装置１２Ｂにおけるその他の構成は図１のそれらと同一であるから、図１と同一の符号を付すとともに、図１の発光装置１２Ａの説明を援用することで、この発光装置１２Ｂにおけるその他の構成の説明は省略する。
【００４２】
フォトダイオード２７は、そのＰチャネルが第２スイッチング素子１９のゲート電極１９ｃに電気的に接続され、そのＮチャネルがボタン電池１５のプラス端子に電気的に接続されている。フォトダイオード２７には、バイアス抵抗２６が並列に接続されている。フォトダイオード２７は、異なる感度のそれを使用することで、受光した光の強度の大小に応じて作動するから、感度を選択することで、薄暗い水中で疑似餌１０を発光させることができ、または、薄暗い水中で疑似餌１０を発光させないこともできる。なお、光検出器には、フォトダイオード２７の他に、フォトトランジスタを使用することもできる。
【００４３】
この発光装置１２Ｂを使用した疑似餌１０の発光動作を説明すると、以下のとおりである。ボタン電池１５による電圧は、図１の発光装置１２Ａと同様に、発光ダイオード１６のＰチャネルと第１スイッチング素子１７のソース電極１７ｂとの間に加えられ、第２スイッチング素子１９のドレイン電極１９ａとコンデンサー１８の第２端子１８ｂとの間に加えられている。ピエゾ素子２０に所定の電圧が生じていない状態では、第２スイッチング素子１９のゲート電極１９ｃに電圧がかかっておらず、第２スイッチング素子１９がＯＦＦ状態となっている。また、第１スイッチング素子１７のゲート電極１７ｃに電圧がかかっておらず、第１スイッチング素子１７がＯＦＦ状態となっている。さらに、フォトダイオード２７に所定強度の光が入光している場合、フォトダイオード２７が導通状態となる。逆に、フォトダイオード２７に光が入光していない場合、フォトダイオード２７が非導通状態となる。さらに、疑似餌１０が水に漬かっていない場合、水分検知部材２１の端子どうしが導通せず、ピエゾ素子２０に生じた電圧の第２スイッチング素子１９への印加が不能になっている。
【００４４】
疑似餌１０が水中に投げ込まれて水に漬かると、水分検知部材２１が水分を検知して導通可能（水分検知部材２１の端子どうしが水を介して導通可能）になり、ピエゾ素子２０に生じた電圧の第２スイッチング素子１９への印加が可能になる。さらに、疑似餌１０が水中に没して周囲に光が届かない状態になると、フォトダイオード２７に光が入光せず、フォトダイオード２７が非導通状態となり、フォトダイオード２７に電流が流れない。その状態で、釣り糸の手繰り出しや手繰り込みによって疑似餌１０が水中において遊動し、ピエゾ素子２０に振動（衝撃）が加えられると、その振動によってピエゾ素子２０の両端に所定の電圧が生じ、ピエゾ素子２０に生じた電圧が第２スイッチング素子１９のゲート電極１９ｃにかかる。ゲート電極１９ｃに電圧がかかると、第２スイッチング素子１９のドレイン−ソース間にボタン電池１５の電流が流れ、第２スイッチング素子１９がＯＮ状態になる。第２スイッチング素子１９がＯＮ状態になると、ボタン電池１５からコンデンサー１８に所定の電圧が印加され、コンデンサー１８に電荷が蓄えられる。
【００４５】
なお、フォトダイオード２７に光が入光している場合、フォトダイオード２７が導通状態となり、フォトダイオード２７に電流が流れ、ピエゾ素子２０に生じた電圧が第２スイッチング素子１９のゲート電極１９ｃにかからず、第２スイッチング素子１９がＯＦＦの状態とままなる。フォトダイオード２７に光が入光している場合、ボタン電池１５の電圧がコンデンサー１８に印加されることはなく、コンデンサー１８に電荷が蓄電されることはない。
【００４６】
蓄えた電荷をコンデンサー１８が放出すると、その電荷（電圧）が第１スイッチング素子１７のゲート電極１７ｃにかかる。ゲート電極１７ｃに電圧がかかると、第１スイッチング素子１７のドレイン−ソース間にボタン電池１５の電流が流れ、第１スイッチング素子１７がＯＮ状態になる。第１スイッチング素子１７がＯＮ状態になると、ボタン電池１５から発光ダイオード１６に所定の電圧が印加され、発光ダイオード１６にボタン電池１５の直流電流が流れる。発光ダイオード１６にボタン電池１５の直流電流が流れると、電流（ＩＦ）の大きさに比例した発光強度で発光ダイオード１６が発光する。
【００４７】
疑似餌１０が水中において静止し、ピエゾ素子２０に加えられていた振動が停止すると、ピエゾ素子２０に生じた電圧が消失する。ピエゾ素子２０に生じた電圧が消失すると、第２スイッチング素子１９のゲート電極１９ｃにかかっていた電圧が０になり、第２スイッチング素子１９のドレイン−ソース間に流れていたボタン電池１５の電流が切れ、第２スイッチング素子１９がＯＦＦ状態になり、ボタン電池１５からのコンデンサー１８に対する電圧の印加が停止する。さらに、コンデンサー１８からの電荷の放出が終了すると、第１スイッチング素子１７のゲート電極１７ｃにかかっていた電圧が０になり、第１スイッチング素子１７のドレイン−ソース間に流れていたボタン電池１５の電流が切れ、第１スイッチング素子１７がＯＦＦ状態になる。第１スイッチング素子１７がＯＦＦ状態になると、発光ダイオード１６の発光が停止する。
【００４８】
疑似餌１０は、図１のそれと同様に、コンデンサー１８の静電容量を大きくすることで、コンデンサー１８に蓄電される電荷の量を多くすることができ、発光ダイオード１６の発光時間を長くすることができる。逆に、コンデンサー１８の静電容量を小さくすることで、コンデンサー１８に蓄電される電荷の量を少なくすることができ、発光ダイオード１６の発光時間を短くすることができる。疑似餌１０は、ピエゾ素子２０の発電量を多くすることで、第２スイッチング素子１９のＯＮ時間を長くすることができ、コンデンサー１８に蓄えられる電荷の量が増加し、発光ダイオード１６の発光時間を長くすることができる。逆に、ピエゾ素子２０の発電量を少なくすることで、第２スイッチング素子１９のＯＮ時間を短くすることができ、コンデンサー１８に蓄えられる電荷の量が減少し、発光ダイオード１６の発光時間を短くすることができる。
【００４９】
疑似餌１０は、ピエゾ素子２０の発電量を変更することによって、発光ダイオード１６の発光時間を変更することができるから、ピエゾ素子２０の発電量を調節することによって、発光ダイオード１６の発光時間を自由に変えることができ、魚類の光に引き寄せられる習性の相違に応じて発光ダイオード１６の発光時間を自由に変えることができる。また、コンデンサー１８の静電容量を変更することによって、発光ダイオード１６の発光時間を変更することができるから、コンデンサー１８の静電容量を調節することによって、発光ダイオード１６の発光時間を自由に変えることができ、魚類の光に引き寄せられる習性の相違に応じて発光ダイオード１６の発光時間を自由に変えることができる。
【００５０】
発光装置１２Ｂを使用した疑似餌１０は、図１のそれが有する効果に加え、以下の効果を有する。疑似餌１０は、フォトダイオード２７を利用することで、水中の明暗によって発光ダイオード１６を明滅させることができるから、夜間の釣りのみにおいて発光ダイオード１６を発光させることや光の届かない深い水中でのみ発光ダイオード１６を発光させることで、発光ダイオード１６の無駄な発光を防ぐことができ、疑似餌１０における省電力化を図ることができる。この疑似餌１０は、夜間の釣りや光の届かない水中において発光ダイオード１６が発光するから、光に集まる習性の魚類に特に有効に作用し、魚類を確実に誘うことができる。
【００５１】
竿先振動検知具３０の一例を示す図４等の添付の図面を参照し、本発明に係る竿先振動検知具の最良の形態を説明すると、以下のとおりである。なお、図５は、竿先振動検知具３０に使用される一例として示す発光装置３３Ａの回路図である。竿先振動検知具３０は、釣り竿３１の竿先３２に着脱可能に取り付けられ、魚類がかかったときの竿先３２の振動を検知する。竿先振動検知具３０は、振動によって発光する発光装置３３Ａと、竿先３２へ着脱可能な係合部材３４とから形成されている。係合部材３４は、半球状に成型された弾性変形可能な可塑物であり、光が透過可能な透明または半透明の合成樹脂から作られている。係合部材３４の中央部には、竿先を挟み込むことが可能なスリット３５が形成されている。
【００５２】
発光装置３３Ａは、ボタン電池３６（直流電源）と、発光ダイオード３７（発光素子）と、第１スイッチング素子３８（ＭＯＳ−ＦＥＴ）と、コンデンサー３９と、第２スイッチング素子４０（ＭＯＳ−ＦＥＴ）と、ピエゾ素子４１とから形成されている。発光装置３３Ａは、発光ダイオード３７をボタン電池３６によって発光させる直流点灯装置である。発光ダイオード３７と第１スイッチング素子３８とは、ボタン電池３６に対して並列に接続されている。発光ダイオード３７においてボタン電池３６の直流電流が順方向へ流れるように発光ダイオード３７が配置されている。なお、ボタン電池３６の個数に特に限定はなく、所期する発光ダイオード３７の発光強度に対応する個数に設定される。また、発光装置３３Ａでは、ボタン電池３６に代えて、直流電源としてアルカリ電池等の他のあらゆる一次電池を利用することができる。
【００５３】
発光ダイオード３７の発光波長や発光輝度、変換効率等について特に限定はなく、紫外光や青色、緑色に発光するＧａＩｎＮ、緑色や黄緑色に発光するＩｎＧａＡＩＰ／ＧａＡｓ、黄色に発光するＩｎＧａＡＩＰ／ＧａＰ、赤色に発光するＩｎＧａＡＩＰやＧａＡＩＡｓ、赤外光に発光するＧａＡＩＡｓやＧａＡｓ等のあらゆるものを使用することができる。この発光装置３３Ａでは、発光ダイオード３７に代えて、発光素子として豆電球やビリケン球、ニップル球、探見球、麦球を使用することもできる。
【００５４】
第１スイッチング素子３８には、ＭＯＳ−ＦＥＴが使用されている。第１スイッチング素子３８は、発光ダイオード３７に印加される電圧をＯＮ／ＯＦＦする。第１スイッチング素子３８であるＭＯＳ−ＦＥＴは、そのドレイン電極３８ａが発光ダイオード３７のＮチャネルに電気的に接続され、そのソース電極３８ｂがボタン電池３６のプラス端子に電気的に接続されている。発光ダイオード３７のＮチャネルと第１スイッチング素子３８のドレイン電極３８ａとの間には、抵抗４２が電気的に接続されている。発光ダイオード３７のＰチャネルは、ボタン電池３６のマイナス端子に電気的に接続されている。
【００５５】
コンデンサー３９と第２スイッチング素子４０とは、ボタン電池３６に対して並列に接続されている。コンデンサー３９は、第１スイッチング素子３８をＯＮさせるための電荷を蓄える。コンデンサー３９は、第１端子３９ａが第１スイッチング素子３８であるＭＯＳ−ＦＥＴのゲート電極３８ａに電気的に接続され、第２端子３９ｂがボタン電池２６のプラス端子に電気的に接続されている。なお、コンデンサー３９の静電容量について特に限定はない。第１スイッチング素子３８のゲート電極３８ｃとコンデンサー３９の第１端子３９ａとの間には、抵抗４３が電気的に接続されている。第１スイッチング素子３８のゲート電極３８ｃには、バイアス抵抗４４が接続されている。
【００５６】
第２スイッチング素子４０には、ＭＯＳ−ＦＥＴが使用されている。第２スイッチング素子４０は、コンデンサー３９に印加される電圧をＯＮ／ＯＦＦする。第２スイッチング素子４０であるＭＯＳ−ＦＥＴは、そのドレイン電極４０ａがボタン電池３６のマイナス端子に電気的に接続され、そのソース電極４０ｂがコンデンサー３９の第１端子３９ａに電気的に接続されている。なお、第１および第２スイッチング素子３９，４０には、ＭＯＳ−ＦＥＴの他に、他の種類のトランジスタを使用することもできる。
【００５７】
ピエゾ素子４１は、第２スイッチング素子４０をＯＮさせる。ピエゾ素子４１は、その第１端子４１ａが第２スイッチング素子４０であるＭＯＳ−ＦＥＴのゲート電極４０ｃに電気的に接続され、その第２端子４０ｂがボタン電池３６のマイナス端子に電気的に接続されている。ピエゾ素子４１の第１電極４１ａと第２スイッチング素子４０のゲート電極４０ｃとの間には、抵抗４５が電気的に接続されている。第２スイッチング素子４０のゲート電極４０ｃには、バイアス抵抗４６が接続されている。
【００５８】
この発光装置３３Ａを使用した竿先振動検知具３０の発光動作を説明すると、以下のとおりである。最初に釣り竿３１の竿先３２に竿先振動検知具３０を取り付ける。係合部材３４のスリット３５に竿先３２を押し当て、スリット３５に竿先３２を圧入すると、係合部材３４が弾性変形し、スリット３５に竿先３２が嵌り込み、係合部材３４によって竿先３２の周面が締め付けられ、竿先振動検知具３０が竿先３２に固定される。竿先３２から竿先振動検知具３０を外すには、竿先振動検知具３０を竿先３２から離間する方向へ引っ張る。竿先振動検知具３０を引っ張ると、係合部材３４が弾性変形し、スリット３５から竿先３２が抜けて竿先振動検知具３０を竿先３２から外すことができる。釣り糸を水中に入れ、魚類の釣りが可能な状態にした後、釣り竿３１を立ててあたりを待つ。
【００５９】
なお、ボタン電池３６による電圧は、発光ダイオード３７のＰチャネルと第１スイッチング素子３８のソース電極３８ｂとの間に加えられ、第２スイッチング素子４０のドレイン電極４０ａとコンデンサー３９の第２端子３９ｂとの間に加えられている。ピエゾ素子４１に所定の電圧が生じていない状態では、第２スイッチング素子４０のゲート電極４０ｃに電圧がかかっておらず、第２スイッチング素子４０がＯＦＦ状態となっている。また、第１スイッチング素子３８のゲート電極３８ｃに電圧がかかっておらず、第１スイッチング素子３８がＯＦＦ状態となっている。
【００６０】
釣り針に魚類がかかり、その引きが釣り糸から竿先３２に伝わると、竿先３２が振動し、その振動によってピエゾ素子４１の両端に所定の電圧が生じる。ピエゾ素子４１に電圧が生じると、その電圧が第２スイッチング素子４０のゲート電極４０ｃにかかる。ゲート電極４０ｃに電圧がかかると、第２スイッチング素子４０のドレイン−ソース間にボタン電池３６の電流が流れ、第２スイッチング素子４０がＯＮ状態になる。第２スイッチング素子４０がＯＮ状態になると、ボタン電池３６からコンデンサー３９に所定の電圧が印加され、コンデンサー３９に電荷が蓄えられる。なお、魚類が釣り針から外れ、竿先３２の振動が停止すると、ピエゾ素子４１に生じた電圧が消失する。電圧が消失すると、第２スイッチング素子４０のゲート電極４０ｃにかかっていた電圧が０になり、第２スイッチング素子４０のドレイン−ソース間に流れていたボタン電池３６の電流が切れ、第２スイッチング素子４０がＯＦＦ状態になり、ボタン電池３６からのコンデンサー３９に対する電圧の印加が停止する。
【００６１】
コンデンサー３９は、蓄えた電荷を放出（放電）する。コンデンサー３９が電荷を放出すると、その電荷（電圧）が第１スイッチング素子３８のゲート電極３８ｃにかかる。ゲート電極３８ｃに電圧がかかると、第１スイッチング素子３８のドレイン−ソース間にボタン電池３６の電流が流れ、第１スイッチング素子３８がＯＮ状態になる。第１スイッチング素子３８がＯＮ状態になると、ボタン電池３６から発光ダイオード３７に所定の電圧が印加され、発光ダイオード３７にボタン電池３６の直流電流が流れる。発光ダイオード３７にボタン電池３６の直流電流が流れると、電流（ＩＦ）の大きさに比例した発光強度で発光ダイオード３６が発光する。なお、第１および第２スイッチング素子３８，４０はそのゲート電極３８ｃ，４０ｃに電圧がかかると、直ちにＯＮ状態となるから、ピエゾ素子４１に所定の振動が加えられることで、発光ダイオード３７が瞬時に発光する。竿先３２の振動が停止してコンデンサー３９からの電荷の放出が終了すると、第１スイッチング素子３８のゲート電極３８ｃにかかっていた電圧が０になり、第１スイッチング素子３８のドレイン−ソース間に流れていたボタン電池３６の電流が切れ、第１スイッチング素子３８がＯＦＦ状態になる。第１スイッチング素子３８がＯＦＦ状態になると、発光ダイオード３７の発光が停止する。
【００６２】
竿先振動検知具３０は、竿先３２の振動をトリガーとして発光ダイオード３７（発光素子）が発光し、魚類がかかったときの竿先３２の振動を光によって外部に知らせることができ、釣り糸に魚類がかかったことを確実に確認することができる。この竿先振動検知具３０は、コンデンサー３９からの電荷の放出が停止すると、第１スイッチング素子３８がＯＦＦ状態となり、ボタン電池３６から発光ダイオード３７への電圧の印加が停止して発光ダイオード３７が消灯するから、魚類がかかっておらず竿先３２が振動していないときに発光ダイオード３７が発光することはなく、魚類のかかりと非がかりとを確実に選別することができる。
【００６３】
図６は、竿先振動検知具３０に使用される他の一例として示す発光装置３３Ｂの回路図である。この発光装置３３Ｂは、ボタン電池３６（直流電源）と、発光ダイオード３７（発光素子）と、第１スイッチング素子３８（ＭＯＳ−ＦＥＴ）と、コンデンサー３９と、第２スイッチング素子４０（ＭＯＳ−ＦＥＴ）と、ピエゾ素子４１（ピエゾ素子）と、フォトダイオード４７（光検出器）とから形成されている。発光装置３３Ｂは、図１のそれと同様に、発光ダイオード３７をボタン電池３６によって発光させる直流点灯装置である。
【００６４】
この発光装置３３Ｂが図５のそれと異なるところは第２スイッチング素子４０のゲート電極４０ｃにフォトダイオード４７が接続されている点にあり、この発光装置３３Ｂにおけるその他の構成は図５のそれらと同一であるから、図５と同一の符号を付すとともに、図５の発光装置３３Ａの説明を援用することで、この発光装置３３Ｂにおけるその他の構成の説明は省略する。
【００６５】
フォトダイオード４７は、そのＰチャネルが第２スイッチング素子４０のゲート電極４０Ｃに電気的に接続され、そのＮチャネルがボタン電池３６のプラス端子に電気的に接続されている。フォトダイオード４７には、バイアス抵抗４６が並列に接続されている。フォトダイオード４７は、異なる感度のそれを使用することで、受光した光の強度の大小に応じて作動するから、感度を選択することで、薄暗い場所で竿先振動検知具３０を発光させることができ、または、薄暗い場所で竿先振動検知具３０を発光させないこともできる。なお、光検出器には、フォトダイオード４７の他に、フォトトランジスタを使用することもできる。
【００６６】
この発光装置３３Ｂを使用した竿先振動検知具３０の発光動作を説明すると、以下のとおりである。なお、竿先振動検知具３０の竿先３２への取り付け手順や取り外し手順は、上述のとおりである。ボタン電池３６による電圧は、発光ダイオード３７のＰチャネルと第１スイッチング素子３８のソース電極３８ｂとの間に加えられ、第２スイッチング素子４０のドレイン電極４０ａとコンデンサー３９の第２端子３９ｂとの間に加えられている。ピエゾ素子４１に所定の電圧が生じていない状態では、第２スイッチング素子４０のゲート電極４０ｃに電圧がかかっておらず、第２スイッチング素子４０がＯＦＦ状態となっている。また、第１スイッチング素子３８のゲート電極３８ｃに電圧がかかっておらず、第１スイッチング素子３８がＯＦＦ状態となっている。さらに、フォトダイオード４７に所定強度の光が入光している場合、フォトダイオード４７が導通状態となる。逆に、フォトダイオード４７に光が入光していない場合、フォトダイオード４７が非導通状態となる。
【００６７】
釣り針に魚類がかかり、その引きが釣り糸から竿先３２に伝わると、竿先３２が振動し、その振動によってピエゾ素子４１の両端に所定の電圧が生じる。ピエゾ素子４１に電圧が生じ、さらに、フォトダイオード４７に光が入光していない場合、フォトダイオード４７が非導通状態となり、フォトダイオード４７に電流が流れることはなく、ピエゾ素子４１に生じた電圧が第２スイッチング素子４０のゲート電極４０ｃにかかる。ゲート電極４０ｃに電圧がかかると、第２スイッチング素子４０のドレイン−ソース間にボタン電池３６の電流が流れ、第２スイッチング素子４０がＯＮ状態になる。第２スイッチング素子４０がＯＮ状態になると、ボタン電池３６からコンデンサー３９に所定の電圧が印加され、コンデンサー３９に電荷が蓄えられる。
【００６８】
なお、魚類が釣り針から外れ、竿先３２の振動が停止すると、ピエゾ素子４１に生じた電圧が消失する。電圧が消失すると、第２スイッチング素子４０のゲート電極４０ｃにかかっていた電圧が０になり、第２スイッチング素子４０のドレイン−ソース間に流れていたボタン電池３６の電流が切れ、第２スイッチング素子４０がＯＦＦ状態になり、ボタン電池３６からのコンデンサー３９に対する電圧の印加が停止する。また、フォトダイオード４７に光が入光している場合、フォトダイオード４７が導通状態となり、フォトダイオード４７に電流が流れ、ピエゾ素子４１に生じた電圧が第２スイッチング素子４０のゲート電極４０ｃにかからず、第２スイッチング素子４０がＯＦＦの状態とままなる。したがって、ボタン電池３６の電圧がコンデンサー３９に印加されることはなく、コンデンサー３９に電荷が蓄電されることはない。
【００６９】
蓄えた電荷をコンデンサー３９が放出すると、その電荷（電圧）が第１スイッチング素子３８のゲート電極３８ｃにかかる。ゲート電極３８ｃに電圧がかかると、第１スイッチング素子３８のドレイン−ソース間にボタン電池３６の電流が流れ、第１スイッチング素子３８がＯＮ状態になる。第１スイッチング素子３８がＯＮ状態になると、ボタン電池３６から発光ダイオード３７に所定の電圧が印加され、発光ダイオード３７にボタン電池３６の直流電流が流れる。発光ダイオード３７にボタン電池３６の直流電流が流れると、電流（ＩＦ）の大きさに比例した発光強度で発光ダイオード３７が発光する。竿先３２の振動が停止してコンデンサー３９からの電荷の放出が終了すると、第１スイッチング素子３８のゲート電極３８ｃにかかっていた電圧が０になり、第１スイッチング素子３８のドレイン−ソース間に流れていたボタン電池３６の電流が切れ、第１スイッチング素子３８がＯＦＦ状態になる。第１スイッチング素子３８がＯＦＦ状態になると、発光ダイオード３７の発光が停止する。
【００７０】
図６の発光装置３３Ｂを使用した竿先振動検知具３０は、図５の発光装置３３Ａを使用した竿先振動検知具３０が有する効果に加え、以下の効果を有する。竿先振動検知具３０は、フォトダイオード４７を利用することで、周囲の明暗によって発光ダイオード３７を明滅させることができるから、夜間の釣りにおいて発光ダイオード３７を発光させることで、夜釣り以外の釣りにおける発光ダイオード３７の無駄な発光を防ぐことができ、竿先振動検知具３０における省電力化を図ることができる。
【符号の説明】
【００７１】
１０    疑似餌
１１    疑似餌本体
１２Ａ  発光装置
１２Ｂ  発光装置
１５    ボタン電池（直流電源）
１６    発光ダイオード
１７    第１スイッチング素子
１８    コンデンサー
１９    第２スイッチング素子
２０    ピエゾ素子
２１    水分検知部材
２７    フォトダイオード（光検出器）
３０    竿先振動検知具
３１    釣り竿
３２    竿先
３３Ａ  発光装置
３３Ｂ  発光装置
３４    係合部材
３５    スリット
３６    ボタン電池（直流電源）
３７    発光ダイオード（発光素子）
３８    第１スイッチング素子
３９    コンデンサー
４０    第２スイッチング素子
４１    ピエゾ素子
４７    フォトダイオード（光検出器）
【図１】
2011160714.tif 000003
【図２】
2011160714.tif 000004
【図３】
2011160714.tif 000005
【図４】
2011160714.tif 000006
【図５】
2011160714.tif 000007
【図６】
2011160714.tif 000008